(57)【要約】　　　（修正有）【課題】鉄ポールに梯子をかけて電気工事などを行う場合、梯子の横ゆれ、縦ゆれ、傾きなどを防止し安全な作業が出来る梯子用転倒防止保持具を提供する。【解決手段】梯子作業を行う場合、鉄ポールＳに対する梯子の保持は上段、下段の２ヶ所で固定し、上段用保持具のバンドで鉄ポールＰを挟みボルトで固定し、フックを踏み棒Ｓに被せてボルトで固定する。又、下段用保持具のバンドで同じく鉄ポールＰを挟みボルトで固定し、フックをフレームＦに差込みボルトで固定する。【選択図】図１
0003100173.tif 000002
【実用新案登録請求の範囲】
【請求項１】
アーム１の先端にヒンジ４を介して片開き出来るバンド３をピン２で枢着し、アーム１の他端にフック７を固着し、ヒンジ９にて開閉するフタ８を固定するボルト１０とフック７を固定するセットボルト１１及びバンド３を固定するためのボルト６，クサリ５などを有する梯子上段用転倒防止保持具
【請求項２】
伸縮自在なるアーム１２の先端に、取付板１４を固着し、ヒンジ１７にて片開きできるバンド１５を取付板１４にボルト１６で固定し、アームの１２の他端に軸受２０を固着し、両側に位置するフック２２に固着したブラケット２３と軸受２０に軸２１を挿入し、セットボルト２４で固着し、さらにアーム１２の伸縮位置を固定するセットボルト１３、軸受２０の位置固定用セットボルト２５、フック２２の固定用ボルト２６及びバンド１５を固定するためのボルト１９、クサリ１８等を有する梯子下段用転倒防止保持具
【考案の詳細な説明】
【技術分野】
【０００１】本考案は梯子作業の時の転倒防止に係わる保持具に関するものである。
【背景技術】
【０００２】従来、細い電柱又は鉄ポール（直径７０〜１５０ｍｍ）などに梯子をかけて電気工事の作業を行う場合、二人で作業をする時は一人が梯子を支えることは出来るが、修理又は簡単な作業では普通一人で作業することが多く、転倒事故の発生件数が年々増加し非常に危険であった。【０００３】又足場の悪い場所や高所作業車が使用出来ない場所等で作業を行う場合も、梯子の横ゆれ、縦ゆれ傾きを防止する確実で簡便な保持具が無いために固定出来ず安全な作業が行えなかった。
【考案の開示】
【考案が解決しようとする課題】
【０００４】本考案は前述のような、従来の不安定な梯子作業を改善し一人で簡単迅速に取付け、取外しが出来、さらに安全で確実な梯子用転倒防止保持具を提供することを目的とする。
【課題を解決するための手段】
【０００５】鉄ポールに梯子をかけて作業を行う場合、梯子の横ゆれ、縦ゆれ傾きを防止するために梯子の上段と下段の２ヶ所を本考案の上段用、下段用保持具２個を使用する。【０００６】鉄ポールに保持具を固定する方式はヒンジ式鋼帯で鉄ポールを抱き囲いボルトで締めて固定する。上、下段用共に同じ構造にした。【０００７】次に保持具を梯子に固定する方式は、先ず上段用保持具は横ゆれに対して撓みにくいアルミ製四角パイプのアームの一端にコ字型ヒンジ式金具を形成し、梯子の踏み棒の上から被せてボルトで締めて固定する。尚、前記四角パイプのアームの対向側先端には鉄ポールを固定するヒンジ式鋼帯を多少の首振りが出来るようにピンを介して一体的に連結した。【０００８】梯子の下段に使用する保持具は、同じく四角パイプのアームの一端に軸受けを固着し、その軸受けに丸棒を通し、フックと一体に成っているブラケットに丸棒を挿入してアームを揺動可能にした。【０００９】下段用保持具を梯子に取付ける場合は、前記のコ字型金具を梯子の２本のフレームに差し込みボルトで締めて固定する。【００１０】下段用保持具の四角パイプのアームの対向側先端には上段用保持具と共通で同じ方式のヒンジ式鋼帯を固定し、さらに四角パイプは伸縮自在に形成した。
【考案の効果】
【００１１】本考案によれば、梯子作業を行う場合、上段、下段２ヶ所で梯子を固定するために、作業者が作業を施行している時、又は昇降の際も横ゆれ、縦ゆれ傾きを防止し、きわめて安全である。【００１２】上段用、下段用保持具は共に脱着が簡単に出来る故に、迅速に作業を進めることが出来る。又、細い樹木などに梯子をかけて上段、下段を固定し、枝きり、枝打ちにも利用可能である。【００１３】本考案品は強度と軽量化を図りつつ単純な構造で成り立っている故に、梯子作業にかかる時、非常に扱い易い。
【考案を実施するための最良の形態】
【００１４】以下、実施形態を図面と共に説明する。
先ず、図２に示す上から見た上段用保持具（ｃ）の四角パイプで成るアーム１の先端にピン２を通し、鋼帯から成るバンド３を揺動可能に固定し、又バンド３を片開きにするためのヒンジ４を枢着し、クサリ５でつながれたボルト６でポールＰに固定する。さらにアーム１の他端にフック７を固着し、フタ８をヒンジ９と共にフック４に枢着しボルト１０で踏み棒Ｓに固定する。セットボルト１１はアーム１の横ズレ防止用である。【００１５】次に図３に示すように上から見た下段用保持具（ｅ）の四角パイプから成るアーム１２は伸縮自在に構成し、セットボルト１３を螺合し、先端に取付金具１４を固着する。又取付け金具１４に鋼帯から成るバンド１５をボルト１６で固定し、同じくバンド１５を片開きするためのヒンジ１７を枢着し、クサリ１８でつながれたボルト１９でポールＰに固定する。【００１６】さらにアーム１２の他端に軸受２０を固着し軸２１を軸受２０に回転可能に挿入する。又、２個のコ字型フック２２に軸２１を通すための貫通穴を設けた２個のブラケット２３を固着し、軸２１をブラケット２３に挿入し、セットボルト２４で固定する。つまり軸２１は不動になる。【００１７】尚、セットボルト２５はアームの横移動を固定し、ボルト２６はフック２２を梯子のフレームＦに固定するものである。
【実施例】
【００１８】以下、本考案品の実施例を図面に基づいて説明する。図１に示すように鉄ポールや建物の壁などに梯子をかけて作業を行う場合、地面を基準として７５度前後にかけることが知られている。
先ず鉄ポールＰに梯子をかけて電気作業をする場合、地面から１ｍ以内の高さの位置に下段用保持具のフック２２を梯子フレームＦに差込んでボルト２６で固定する。次にアーム１２の長さを調節しながらバンド１５をポールＰを囲むように挟みボルト１９で固定し、セットボルト１３と２５を締めアーム１２を水平に均衡状態にする。【００１９】以上のように下段用保持具を取付けてから、作業者は上段用保持具を片手で持ちながら踏み段を昇り、梯子の上段の踏み棒が鉄ポールＰに接着している位置より下の適当な位置に在る踏み棒Ｓにフック７を被せてボルト１０で固定する。又、バンド３をポールＰを囲むように挟みボルト６で固定する。【００２０】作業が終了した時は、先ず上段用保持具をポールＰから外し、次に踏み棒Ｓから外す。そして下段用保持具も同じようにポールＰから外し、フレームＦのフック２２を外して取り出す。
【図面の簡単な説明】
【００２３】
【図１】本考案の実施例を示す正面図（ａ）側面図（ｂ）である。
【図２】上段用保持具を示す平面図（ｃ）正面図（ｄ）である。
【図３】下段用保持具を示す平面図（ｅ）正面図（ｆ）である。
【符号の説明】
【００２４】　　　　　１　　アーム　　　　　　　１６　　ボルト
　　　　　２　　ピン　　　　　　　　１７　　ヒンジ
　　　　　３　　バンド　　　　　　　１８　　クサリ
　　　　　４　　ヒンジ　　　　　　　１９　　ボルト
　　　　　５　　クサリ　　　　　　　２０　　軸受
　　　　　６　　ボルト　　　　　　　２１　　軸
　　　　　７　　フック　　　　　　　２２　　フック
　　　　　８　　フタ　　　　　　　　２３　　ブラケット
　　　　　９　　ヒンジ　　　　　　　２４　　セットボルト
　　　　１０　　ボルト　　　　　　　２５　　セットボルト
　　　　１１　　セットボルト　　　　２６　　ボルト
　　　　１２　　アーム
　　　　１３　　セットボルト
　　　　１４　　取付家具
　　　　１５　　バンド
【図１】
0003100173.tif 000003
【図２】
0003100173.tif 000004
【図３】
0003100173.tif 000005